(57)【要約】【課題】天板が水平な使用位置と略垂直な収納位置との間で回動可能に構成され、下方にキャスタを備えた移動机において、天板が使用位置にあるときに床面に対して確実に固定できるようにし、しかも天板を容易に回動できるようにすることを目的とする。【解決手段】天板２が水平な使用位置にある場合には、シンクロロッド７６は、脚柱６の内部で最も下方に位置し、中空軸部材２０の中空部に挿通されたストッパロッド８２を介してストッパ８４が床面に接地されると共に、キャスタ本体２２が床面から離間されている。そして、この状態から、天板２を上方に押し上げて、略垂直な収納位置に回転させると、カム７２は、天板と共に時計と反対回りに回転し、シンクロロッド７６は、脚柱６の内部で最も下方の位置から最も上方に位置に移動し、中空軸部材２０の中空部に挿通されたストッパロッド８２が、中空部内を摺動して鉛直上方に移動する。【選択図】図３
2007301302.tif 000002
【特許請求の範囲】
【請求項１】
天板と、
下方に複数のキャスタを備え、前記天板を、天板回動軸を介して水平な使用位置と略鉛直な収納位置との間で支持する脚部と、
からなり、床面上を移動可能に構成された移動机であって、
前記天板が使用位置にあるときに当該移動机の移動を阻止する制動機構として、
前記脚部に設けられ、前記天板の回動に伴い回動するカムと、
一端が前記カムに揺動可能に連結され、前記天板が収納位置から使用位置に回転されると、該天板の回転に伴い下方に移動し、前記天板が使用位置から収納位置に回転されると、該天板の回動に伴い上方に移動する昇降部材と、
一端が前記昇降部材に揺動可能に連結され、前記天板が使用位置にあるときに、前記昇降部材と連結された端部と反対側の端部が床面に接地して、前記脚部を床面に対して固定する制動部と、
前記脚部に設けられ、前記制動部に当接して該制動部を所定の位置に接地させるガイド部と、
を備えたことを特徴とする移動机。
【請求項２】
前記制動機構は、
前記天板が使用位置まで回転された際に、
前記制動部が床面から受ける反発力により、前記脚部が前記カムを介して上方に移動され、
少なくとも１つの前記キャスタが、床面から離間するように構成されたことを特徴とする請求項１に記載の移動机。
【請求項３】
前記制動部の一部は棒状に形成され、
前記複数のキャスタのうちの１つには、前記制動部の棒状部分を挿通可能な筒部が設けられ、
該筒部に前記制動部の棒状部分が挿通されることを特徴とする請求項１または請求項２に記載の移動机。
【請求項４】
前記筒部は、前記キャスタの上方に突設され、
該キャスタは、前記筒部の一部にて前記脚部に取り付けられており、
該筒部が前記ガイド部を構成することを特徴とする請求項３に記載の移動机。
【請求項５】
前記脚部は、前記天板を上方で支持し下端で床面に接地される脚柱部と、一端が該脚柱部に固定され、他端で床面に接地される脚座部と、からなり、
前記制動機構は、前記脚柱部に設けられたことを特徴とする請求項１〜請求項４の何れかに記載の移動机。
【請求項６】
前記カムは、前記天板の回動軸に固定されたことを特徴とする請求項１〜請求項５の何れかに記載の移動机。
【発明の詳細な説明】
【技術分野】
【０００１】
本発明は、天板を使用位置と収納位置に回動可能で、且つ、移動用のキャスタを備える移動机に関するものである。
【背景技術】
【０００２】
従来より、キャスタ及びストッパを備え、机の移動時にはキャスタを床面に接地させることで移動可能とし、机の使用時にはキャスタの代わりにストッパを床面に接地させることで、机が移動しないように構成された移動机が知られている。
【０００３】
そして、このような移動机として、天板と、机の左右方向に水平な軸回りに回動可能に天板を支持する脚部と、からなり、天板の回動に伴いキャスタ又はストッパが上下動されるものがあり、例えば、天板が略鉛直な収納位置から水平な使用位置に回転されると、ストッパが床面に接地し、天板が使用位置から収納位置に回転されると、キャスタが床面に接地するように構成されたものが提案されている（例えば、特許文献１参照）。
【特許文献１】特開２００４−３５７９８０号公報
【発明の開示】
【発明が解決しようとする課題】
【０００４】
しかしながら、上記の移動机においては、天板が使用位置から収納位置に回転されることにより、天板の回転に連動してキャスタが押し下げられ、キャスタが床面に接地された後に、ストッパと一体に形成された脚部全体、さらには、天板が上方に持ち上げられるように構成されているため、使用者が、天板を使用位置から収納位置（換言すると、水平な状態から略垂直な状態）に押し上げる際に大きな力を必要とするという問題があった。
【０００５】
本発明は、こうした問題に鑑みなされもので、天板が水平な使用位置と略垂直な収納位置との間で回動可能に構成され、下方にキャスタを備えた移動机において、天板が使用位置にあるときに床面に対して確実に固定できるようにし、しかも天板を容易に回動できるようにすることを目的とする。
【課題を解決するための手段】
【０００６】
かかる目的を達成するためになされた請求項１に記載の発明は、
天板と、
下方に複数のキャスタを備え、前記天板を、天板回動軸を介して水平な使用位置と略鉛直な収納位置との間で支持する脚部と、
からなり、床面上を移動可能に構成された移動机であって、
前記天板が使用位置にあるときに当該移動机の移動を阻止する制動機構として、
前記脚部に設けられ、前記天板の回動に伴い回動するカムと、
一端が前記カムに揺動可能に連結され、前記天板が収納位置から使用位置に回転されると、該天板の回転に伴い下方に移動し、前記天板が使用位置から収納位置に回転されると、該天板の回動に伴い上方に移動する昇降部材と、
一端が前記昇降部材に揺動可能に連結され、前記天板が使用位置にあるときに、前記昇降部材と連結された端部と反対側の端部が床面に接地して、前記脚部を床面に対して固定する制動部と、
前記脚部に設けられ、前記制動部に当接して該制動部を所定の位置に接地させるガイド部と、
を備えたことを特徴とする。
【０００７】
このように、本発明の移動机においては、天板が収納位置から使用位置に回転されると、制動部は、カム及び昇降部材を介して下方に移動し、脚部に設けられたガイド部に当接して所定の位置に接地される。また、天板が使用位置から収納位置に回転されると、制動部は、カム及び昇降部材を介して上方に移動し、床面から離間される。
【０００８】
従って、本発明の移動机によれば、天板が使用位置に回転されると、制動部が所定の位置に接地されて脚部を床面に対して固定するので、単純な構成で移動机を床面に対して確実に固定することができる。そして、天板が回動される際には、昇降部材及び制動部が上下動されるのみであるので、使用者は、天板を上方に回転させて収納位置に押し上げる際も大きな力を必要とせず、容易に天板を回転することができる。
【０００９】
次に、請求項２に記載の発明は、請求項１に記載の移動机において、天板が使用位置まで回転された際に、制動部が床面から受ける反発力により、脚部がカムを介して上方に移動され、少なくとも１つのキャスタが床面から離間するように制動機構が構成されたことを特徴とする。
【００１０】
従って、請求項２に記載の移動机によれば、天板が使用位置にあるときにキャスタが床面から離間されるので、制動部により確実に移動机を固定することができる。そして、天板が使用位置に回転された際、つまり、使用者にとっては天板を下方に押し下げる際に、脚部が上方に移動されるように構成しているので、使用者は、天板を回転する際に大きな負担を感じることなく、容易に回転できる。
【００１１】
次に、請求項３に記載の発明は、請求項１または請求項２に記載の移動机において、制動部の一部が棒状に形成されており、複数のキャスタのうちの１つには、この制動部の棒状部分を挿通可能な筒部が設けられ、この筒部には、制動部の棒状部分が挿通されることを特徴とする。
【００１２】
従って、請求項３に記載の移動机によれば、制動部の一部がキャスタの筒部に挿通されているので、制動部の外部に露出される部分が少なくなり、外観上良好となる。
次に、請求項４に記載の発明は、請求項３に記載の移動机において、筒部がキャスタの上方に突設されると共に、このキャスタは筒部の一部にて脚部に取り付けられており、さらに、この筒部がガイド部を構成することを特徴とする。
【００１３】
従って、請求項４に記載の移動机によれば、キャスタが筒部にて脚部に取り付けられており、この筒部がガイド部となるので、脚部に別途ガイド部を設ける必要が無く、ガイド部を簡単に構成することができる。
【００１４】
次に、請求項５に記載の発明は、請求項１〜請求項４の何れかに記載の移動机において、脚部は、天板を上方で支持し下端で床面に接地される脚柱部と、一端がこの脚柱部に固定され、他端で床面に接地される脚座部と、からなり、制動機構は、脚柱部に設けられたことを特徴とする。
【００１５】
従って、請求項５に記載の移動机によれば、脚部が脚柱部及び脚座部により構成された移動机において、制動機構が脚柱部に設けられているので、脚座部の構成に関わらず、確実に移動机を固定することができる。
【００１６】
次に、請求項６に記載の発明は、請求項１〜請求項５の何れかに記載の移動机において、カムは、天板の回動軸に固定されたことを特徴とする。
従って、請求項６に記載の移動机によれば、カムが天板の回動軸に固定されているので、天板の回動を、カムを介して直接昇降部材に伝えることができ、移動机をよりシンプルに構成できる。
【発明を実施するための最良の形態】
【００１７】
以下に本発明の実施形態を図面と共に説明する。
［第１実施形態］
図１は、第１実施形態の移動机１の外観を表す斜視図、図２（ａ）は、天板２が使用位置にあるときの移動机１の側面図、図２（ｂ）は、天板２が収納位置にあるときの移動机１の側面図、図３（ａ）は、移動机１の構成を示す分解斜視図である。
【００１８】
本実施形態の移動机１は、天板２が水平な使用位置にある場合に床面に対して固定され、天板２が略垂直な収納位置にある場合に床面上を移動可能に構成されたものであり、図１に示すように、長方形の板材からなる天板２と、天板２の長手方向の両端の下方に設けられ、天板支持部３０を介して天板２を使用位置と収納位置との間で回動可能に支持すると共に、下方にキャスタ部を備えた一対の脚部４と、脚部４の内部に設けられ、天板２が使用位置にあるときに移動机１の移動を阻止するための制動機構７０と、を備えている。なお、以下、天板２の長手方向を移動机１の左右方向、この方向に直交する方向を前後方向とし、椅子を配置する側を移動机１の後方（図２の右方）、反対側を移動机１の前方として説明する。
【００１９】
脚部４は、断面長方形の管状の長尺部材からなり、上端をやや後方に傾けて上下方向に配置された脚柱６と、脚柱６の下端に取り付けられたキャスタ部１０ａと、脚柱６の中央部からやや下がった位置に固定されており、前後方向に配置された脚座８と、脚座８の脚柱６へ固定された端部とは反対側の端部に取り付けられ、キャスタ本体及び高さ方向を調整するためのアジャスタからなるアジャスタ付キャスタ部１０ｂと、から構成されている。また、各脚柱６の上方には、各脚柱６同士を連結する框パイプ１４が設けられており、この框パイプ１４は、両端に垂直に溶接された框プレート１６を介して、脚柱６の内側の板部にボルト１８にて結合されている。
【００２０】
ここで、框プレート１６は、図３（ａ）に示すように、一面に框パイプ１４が溶接され、反対側の面で脚柱６の内側の板部に当接して結合される板状の框パイプ取付部と、この框パイプ取付部から上方に延出されて、断面がコの字状となるように上方が開口された軸受け部と、を備えた金属部材であり、軸受け部にて天板支持部３０が支持される。
【００２１】
天板支持部３０は、大きく分けて、天板２の下面に固定された天板連結部と、天板連結部に結合されると共に、脚柱６に固定された框プレート１６の軸受け部に挿通されて、左右方向の水平軸周りに回動可能に脚柱６に支持される軸部と、からなり、天板２の回動に伴い回動するように構成されている。また、天板支持部３０には、天板２が使用位置及び収納位置にあるときに回転しないように固定するためのロック装置が設けられている。
【００２２】
天板連結部は、天板２の下方に左右方向に渡された２本の金属製の角パイプ３２と、この角パイプの端部に設けられた天板受金具３４と、天板受金具を覆うためのカバー３６と、を備えている。
【００２３】
天板受金具３４は、金属の板材が直角に折り曲げられて形成されており、一方の平面部である第１平面部が移動机１の前後方向に、且つ、天板２に垂直に配置されるように、他方の第２平面部にて天板２の下面側にねじ固定されている。
【００２４】
第１平面部は、天板２に沿って長尺状に形成されており、中央付近が台形状に一部突出されている。そして、第１平面部の台形に突出された部分には軸部の一部が係止される小判状の係止孔３４ａが形成されている。また、この第１平面部の内側の面には、２本の角パイプ３２の端部が夫々溶接されており、左右の天板受金具３４が連結されている。なお、この天板受金具３４の一部が、コの字状に形成された軸受け部の底部に当接されて、天板２が使用位置または収納位置に位置決めされる。
【００２５】
カバー３６は、合成樹脂により天板受金具３４の第１平面部の外側の面と側面とを被覆可能な形状に成型されており、天板受金具３４に取り付けられている。なお、係止孔３４ａと重なる部分は、係止孔３４ａが露出されるように挿通孔が設けられている。
【００２６】
一方、軸部は、図３（ａ）及び図４（ｃ）に示すように、主に、段付回転軸３８、回転軸固定ねじ４０、皿ばね４４、皿ばね固定部材４６、カム軸４８、カム軸固定ねじ５０等から構成されている。なお、図４（ｃ）は、軸部の詳細な構成（図４（ａ）の断面Ａ）を示す断面図である。
【００２７】
段付回転軸３８は、中間部分を境として左右の断面形状が異なる棒状部材であり、一端側は断面が小判状に形成された小判軸部であり、他端側は、この小判軸部よりも太い断面が真円の円柱部である。そして、小判軸部側の端部には、回転軸固定ねじ４０が螺合可能なねじ孔が形成されており、円柱部側の端部には、カム軸４８の端部が嵌合可能な小判状の係止孔３８ａが形成されている。
【００２８】
カム軸４８は、断面が小判状に形成された棒状部材であり、一端側の端部は他の部分よりもわずかに細い円柱状に形成されている。そして、円柱状に形成された側の端部には、カム軸固定ねじ５０が螺合可能なねじ孔が形成されている。
【００２９】
皿ばね固定部材４６は、２枚の皿ばね４４を内部に収納可能に一端が開口され、反対側の端面に回転軸固定ねじ４０のねじ頭を収納可能なざぐりが形成された円形の薄板状に形成されている。
【００３０】
そして、框プレート１６の上方に延出された軸受け部において、コの字を形成する平行な一対の板部のうち、外側の板部（以下、軸取付部１６ａともいう）には、段付回転軸３８の小判軸部が摺動しつつ回動可能な真円形の挿通孔１６ｂが形成されており、この軸取付部１６ａの外側から段付回転軸３８の小判軸部がワッシャ４２を介して挿通される。一方、軸取付部１６ａの内側において、小判軸部には、まずワッシャ４２が挿通されて、次に、天板受金具３４に形成された小判状の係止孔３４ａが係合され、さらに、２枚の皿ばね４４が収納された皿ばね固定部材４６が挿通される。そして、段付回転軸３８の小判軸部の端部に形成されたねじ孔に回転軸固定ねじ４０を螺合させることにより、段付回転軸３８が軸取付部１６ａに対して回動可能に連結される。そして、段付回転軸３８には、天板受金具３４が係合されているので、段付回転軸３８の回動に伴い、天板受金具３４を介して天板２が一体に回動される。
【００３１】
また、上記のように、段付回転軸３８と回転軸固定ねじ４０との間には、皿ばね４４が挿入されているので、天板受金具３４は、皿ばね４４により軸取付部１６ａ側に常時付勢されている。このため、付勢力により軸取付部１６ａの面と、ワッシャ４２との間に摩擦が発生するので、天板受金具３４、ひいては、天板２の回転時の速度を抑制することができる。
【００３２】
また、皿ばね固定部材４６に皿ばね４４を収納可能に構成し、皿ばね４４を、この皿ばね固定部材４６に収納した状態で段付回転軸３８に挿通させ、回転軸固定ねじ４０を螺合させているので、ねじの結合時に皿ばね４４が外れたり、中心がずれたりすることを防止でき、ねじの結合作業を容易に行うことができる。
【００３３】
一方、段付回転軸３８の円柱部の端部に形成された小判状の係止孔３８ａには、カム軸４８が嵌合されている。そして、脚柱６の上方には、カム軸４８が内側から外側へ貫通可能に挿通孔６ａが形成されており、カム軸４８が脚柱６の内部を貫通するように配置される。なお、カム軸４８の円柱状の端部は、脚柱６の外側の挿通孔６ａに挿通され、脚柱６の外側から、ねじ頭がこの挿通孔６ａよりも大きい径に形成されたカム軸固定ねじ５０が螺合されることにより、脚柱６に回動可能に支持される。
【００３４】
ロック装置は、操作用のレバー５２と、レバー５２にねじ５６により固定されて、レバー５２と共に回動するロック部材５４と、ロック部材５４を框プレート１６の軸受け部の上方に形成された係合部に係合する方向に付勢するばね５８と、を備えており、使用位置及び収納位置ではロック部材５４が係合部に係合され、レバー５２を天板２側に回転させることにより、ロック部材５４と係合部との係合が解除されるように構成されている。なお、このロック装置は、移動机１の左右両側に設けられていると共に、左右に夫々配置されたロック部材５４は、天板の下方にて左右方向に渡された連動パイプ６０に夫々ねじ６２にて固定されているので、片方のレバー５２を操作することにより、両方のロック装置の係合を解除することができる。
【００３５】
次に、本発明の特徴部分である制動機構７０について説明する。図３（ｂ）は、制動機構７０の構成を示す分解斜視図である。
制動機構７０は、図３（ｂ）に示すように、カム軸４８に結合されるカム７２と、一端がカム７２に揺動可能に連結されたシンクロロッド７６と、一端が連結金具７８を介してシンクロロッド７６の揺動端に揺動可能に連結されるストッパロッド８２と、ストッパロッド８２のシンクロロッド７６と連結された端部と反対側の端部に連結されるストッパ８４と、キャスタ部１０ａに設けられた中空軸部材２０と、から構成されている。
【００３６】
カム７２は、金属の板材を折り曲げて形成された断面コの字状の部材であり、平行な一対の平面部は略矩形に形成されている。そして、矩形の長辺方向の一端側にはカム軸４８が係合可能な小判状の係止孔７２ａが各平面部を貫通するように形成されており、他端側には、ピン孔７２ｂが各平面部を貫通するように形成されている。そして、カム７２に形成された係止孔７２ａにカム軸４８が挿通されることにより、カム７２はカム軸４８と一体に回動される。
【００３７】
ここで、小判状の係止孔７２ａは、その平行な一対の辺が、矩形の長辺と平行となるように形成されており、天板２が水平な使用位置にあるときは、小判状のカム軸４８の平行な一対の面、つまり、コの字状のカム７２の平行な一対の平面部をつなぐ底部７２ｃが、脚柱６の前方及び後方の板部と平行となるように構成されている（図４（ａ）参照）。
【００３８】
シンクロロッド７６は、脚柱６と略同じ長さの棒状部材であり、一端側に軸と直交する方向に挿通孔（図示なし）が形成されており、反対側の端部に連結金具７８が溶接されている。そして、シンクロロッド７６は、挿通孔が形成された側の端部が、カム７２の一対の平面部の間のピン孔７２ｂに対応する位置に配置され、各ピン孔７２ｂ及び挿通孔にピン７４が挿通されることにより、カム７２に揺動可能に軸支される。
【００３９】
連結金具７８は、金属の板材を折り曲げて形成された断面コの字状の部材であり、棒状のシンクロロッド７６に沿うように３面で当接し、一端側がシンクロロッド７６より突出されるように溶接されている。そして、突出された部分には、平行な一対の平面部を貫通するようにピン孔７８ａが形成されている。
【００４０】
ストッパロッド８２は、中空軸部材２０に形成された中空部を貫通可能な径の棒状部材であり、一端に軸と直交する方向に挿通孔（図示なし）が形成されており、他端面にはストッパ８４が螺合可能なねじ孔（図示なし）が形成されている。そして、ストッパロッド８２は、挿通孔が形成された側の端部が、その挿通孔が連結金具７８の一対の平面部の間のピン孔７８ａに対応する位置に配置され、各ピン孔７８ａ及び挿通孔にピン８０が挿通されることにより、連結金具７８、つまり、シンクロロッド７６に揺動可能に軸支される。なお、この状態でストッパロッド８２は、脚柱６の下端から突出されている。
【００４１】
次に、キャスタ部１０ａは、ストッパロッド８２を挿通可能な中空部を備えた中空軸部材２０、２つの車輪２２ａと２つの車輪２２ａの間に設けられ中空軸部材２０を取付可能な筒部２２ｂとを備えたキャスタ本体２２からなり、キャスタ取付部材１２を介して脚柱６の下端に結合可能に構成されている。
【００４２】
キャスタ取付部材１２は、中空軸部材２０が螺合可能なねじ孔１２ｃが形成された取付部１２ａと、取付部１２ａの上方に突設され、脚柱６の端部に嵌合可能な嵌合部１２ｂと、からなる。ここで、中空軸部材２０が螺合されるねじ孔１２ｃは、キャスタ取付部材１２が脚柱６に嵌合された際に、床面に対して垂直となるように形成されている。
【００４３】
中空軸部材２０は、中間部分に形成された鍔部２０ａを境として上下の外形が異なる管状部材であり、一端側はキャスタ取付部材１２に形成されたねじ孔１２ｃに螺合可能なねじ部２０ｂである。一方、他端側はキャスタ本体の筒部２２ｂに挿通可能な棒状部２０ｃであり、キャスタ本体２２の筒部２２ｂに挿通されて、キャスタ本体２２が棒状部２０ｃを軸として回動可能に中空軸部材２０に結合され、キャスタ部１０ａが構成される。
【００４４】
このように構成されたキャスタ部１０ａは、中空軸部材２０のねじ部２０ｂがキャスタ取付部材１２のねじ孔１２ｃに螺合されることにより、キャスタ取付部材１２と一体にされる。そして、脚柱６の下端から突出されたストッパロッド８２が中空軸部材２０の中空部に挿通された状態で、キャスタ取付部材１２の嵌合部１２ｂが脚柱６の下端に嵌合され、嵌合部１２ｂに形成されたねじ孔１２ｄに脚柱６の後方からねじにより固定されることで、キャスタ部１０ａが脚柱６の下端に固定されている。
【００４５】
次に、ストッパ８４は、ストッパロッド８２のねじ孔に螺合可能なボルトであり、ねじ頭には、中空軸部材２０の棒状部２０ｃの外径よりも大きく２つの車輪２２ａの間を上下動可能な大きさの円盤状の樹脂部材８４ａが取り付けられている。そして、ストッパ８４は、中空軸部材２０を介してキャスタ部１０ａの下方から突出されたストッパロッド８２の端部に螺合されている。なお、ストッパ８４は、ストッパロッド８２への螺合量を調整可能に構成されており、脚柱６の下端面の床面からの高さを適宜調整することができる。
【００４６】
次に、この移動机１の使用時の動作について説明する。図４（ａ）は、天板２が使用位置にあるときの制動機構７０の状態を示す移動机１の側面図、図４（ｂ）は、天板２が収納位置にあるときの制動機構７０の状態を示す移動机１の側面図である。なお、図４（ａ）及び図４（ｂ）は、制動機構７０の構成を示すために、脚柱６やキャスタ部１０ａを垂直方向の面にて一部断面をとったり、透視させたりしている。
【００４７】
本実施形態の移動机１は、図４（ａ）に示すように、天板２が水平な使用位置にある場合には、カム７２は、底部７２ｃが、脚柱６の前方及び後方の板部と平行となる位置にあり、シンクロロッド７６との連結点であるピン７４は、カム７２の回動中心（つまり、軸部の中心）の下方に配置されている。そして、このとき、シンクロロッド７６は、脚柱６の内部で最も下方に位置し、ストッパ８４が床面に接地されると共に、キャスタ部１０ａが床面から離間されている。よって、移動机１は、天板２が使用位置にあるときに移動しないように固定される。
【００４８】
そして、この状態から、天板２を上方に押し上げて、図４（ｂ）に示す略垂直な（本実施形態では約８０度）収納位置に回転させると、カム７２は、天板と共に時計と反対回りに回転し、シンクロロッド７６との連結点であるピン７４の位置も回転して、カム７２の回動中心の右斜め下に配置される。そして、このときシンクロロッド７６は、脚柱６の内部で最も下方の位置から最も上方に位置に移動し、中空軸部材２０の中空部に挿通されたストッパロッド８２が、中空部内を摺動して鉛直上方に移動する。このため、ストッパロッド８２の下方端部に設けられたストッパ８４も鉛直上方に移動して床面から離間されると共に、キャスタ部１０ａが接地される。よって、移動机１は、天板２が収納位置にあるときに、接地されたキャスタ部１０ａ及び常時接地されているアジャスタ付キャスタ部１０ｂにより移動可能となる。
【００４９】
さらに、この状態から再び天板２を押し下げて使用位置に回転させると、カム７２は、天板と共に時計回りに回転し、ピン７４は、再びカム７２の回動中心の下方に移動される。そして、シンクロロッド７６は下方に移動して、中空軸部材２０の中空部に挿通されたストッパロッド８２が、中空部内を摺動して鉛直下方に移動することにより、ストッパ８４が床面に接地される。ここで、この移動机１において、ストッパ８４は、天板２の使用位置への回転の途中で床面に接地される。そして、その後、天板２の回転が進むと、ストッパ８４が床面から受ける反発力により、ストッパロッド８２、シンクロロッド７６及びカム７２を介して軸部全体、ひいては、脚柱６が上方に押し上げられ、キャスタ部１０ａが床面から離間される。
【００５０】
以上、説明したように、本実施形態の移動机１によれば、天板２が使用位置に回転されると、カム７２及びシンクロロッド７６を介してストッパロッド８２及びストッパ８４が下方に移動されて、ストッパロッド８２が中空軸部材２０の中空部を下方に摺動し、ストッパ８４が所定の位置に接地されるので、単純な構成で移動机１を床面に対して確実に固定することができる。そして、天板２が回動される際には、シンクロロッド７６、ストッパロッド８２、及び、ストッパ８４が上下動されるのみであるので、使用者は、天板２を上方に回転させて収納位置に押し上げる際も大きな力を必要とせず、容易に天板２を回転することができる。
【００５１】
また、天板２が使用位置にあるときにキャスタ部１０ａが床面から離間されるので、ストッパ８４により確実に移動机１を固定することができる。そして、天板２が使用位置に回転された際、つまり、使用者にとっては天板を下方に押し下げる際に、脚柱６、キャスタ部１０ａ等が上方に移動されるように構成しているので、使用者は、天板を回転する際に大きな負担を感じることなく、容易に回転できる。
【００５２】
一方、キャスタ部１０ａは、キャスタ本体２２と、キャスタ本体２２の上方に突設された中空軸部材２０により構成されていると共に、このキャスタ部１０ａは中空軸部材２０の一部にてキャスタ取付部材１２を介して脚柱６の下端に取り付けられている。そして、鉛直方向を軸とする中空部が設けられた中空軸部材２０の内部を、棒状に形成されたストッパロッド８２を摺動させ、ストッパ８４をキャスタ部１０ａの下方で、床面に接地させるようにしている。
【００５３】
よって、本実施形態の移動机１によれば、ストッパロッド８２が外部に露出されることがないために外観上良好であり、また、キャスタ部１０ａを脚柱６に取り付けることで、複雑な構成をとることなく、ストッパ８４をキャスタ部１０ａの下方で接地させることが可能となる。
【００５４】
また、本実施形態の移動机１では、上記のように制動機構７０を構成することにより、制動機構７０を脚柱６、キャスタ部１０ａ等の内部に収納することができるので、脚座８の形状に関わらず、脚柱６の下端からキャスタ部１０ａを介してストッパ８４を突出させ、床面に当接させることで、この移動机１を床面上で確実に固定することができる。
【００５５】
一方、カム７２が、天板の回動軸である段付回転軸３８と一体に回動されるように結合されたカム軸４８に固定されているので、天板の回動を、カム７２を介して直接シンクロロッド７６に伝えることができ、移動机１をよりシンプルに構成できる。
【００５６】
また、本実施形態の移動机１においては、ストッパ８４のストッパロッド８２への螺合量を変えることで、脚柱６の下端面の床面からの高さを調整することができ、アジャスタ付キャスタ部１０ｂのアジャスタを調整することで、脚座８の下端面の床面からの高さを調整することができる。つまり、移動机１によれば、４点の接地部全ての高さを調整できるので、床面に凹凸がある場合であっても移動机１を安定して配置することができ、他の移動机１等との高さ合せを行なうことも可能である。
【００５７】
なお、本実施形態においては、キャスタ本体が本発明のキャスタに相当し、中空軸部材２０が本発明の筒部及びガイド部に相当し、脚柱６、キャスタ部１０ａ、及びキャスタ取付部材１２が本発明の脚柱部に相当し、脚座８及びアジャスタ付キャスタ部１０ｂが本発明の脚座部に相当し、シンクロロッド７６が本発明の昇降部材に相当し、ストッパロッド８２及びストッパ８４が本発明の制動部に相当する。
［第２実施形態］
次に、別形態の移動机９０について説明する。第２実施形態の移動机９０は、本発明のガイド部を、脚座の内部に構成したものであり、脚座９２及び脚座９２の脚柱６への結合構成、及び、制動機構９４以外の箇所は、上記第１実施形態と同様に構成されている。このため、第１実施形態と同様の箇所については同様の符号を付して説明を省略し、異なる箇所についてのみ説明する。
【００５８】
図５は、第２実施形態の移動机９０の構成を示しており、図５（ａ）は、天板２が使用位置にあるときの移動机９０の側面図、図５（ｂ）は、天板２が収納位置にあるときの移動机９０の側面図である。なお、図５（ａ）及び図５（ｂ）は、制動機構９４の構成を示すために、脚柱６や脚座９２を垂直方向の面にて一部断面をとったり、透視させたりしている。
【００５９】
本実施形態の移動机９０は、天板２が水平な使用位置にある場合に床面に対して固定され、天板２が略垂直な収納位置にある場合に床面上を移動可能に構成されたものであり、図５に示すように、長方形の板材からなる天板２と、天板２の左右両側の下方に設けられ、天板支持部３０を介して天板２を使用位置と収納位置との間で回動可能に支持し、上端をやや後方に向けて上下方向に配置された脚柱６と、脚柱６の下端に前後方向に幅を持って水平に設けられ、下方にキャスタを備えた脚座９２と、脚柱６及び脚座９２の内部に設けられ、天板２が使用位置にあるときに移動机９０の移動を阻止するための制動機構９４と、を備えている。
【００６０】
脚座９２は、前後方向に幅を持った中空部材であり、前端よりやや後方で、脚柱６と結合されている。そして、脚座９２は、キャスタが設けられていない部分については下方が開放されており、また、脚柱６との結合箇所で脚柱６の内部とつながっている。
【００６１】
制動機構９４は、カム軸４８に結合されるカム７２と、一端がカム７２に揺動可能に連結されたシンクロロッド７６と、一端が連結金具７８を介してシンクロロッド７６の揺動端に揺動可能に連結されるストッパロッド８２と、ストッパロッド８２のシンクロロッド７６と連結された端部と反対側の端部に連結されるストッパ８４と、脚座９２の中空部に設けられたガイド部材９６と、から構成されている。
【００６２】
ガイド部材９６は、ストッパロッド８２を挿通可能な中空部を備えたブロック状に形成されており、脚座９２の脚柱６との結合箇所の下方に固定されている。
そして、シンクロロッド７６に揺動可能に連結されたストッパロッド８２は、ガイド部材９６の中空部に挿通されて、脚柱６の下端から突出されており、その下端にはストッパ８４が螺合されている。
【００６３】
このように構成された移動机９０は、図５（ａ）に示すように、天板２が水平な使用位置にある場合には、カム７２は、底部７２ｃが、脚柱６の前方及び後方の面と平行となる位置にあり、シンクロロッド７６との連結点であるピン７４は、カム７２の回動中心（つまり、軸部の中心）の下方に配置されている。そして、このとき、シンクロロッド７６は、脚柱６の内部で最も下方に位置し、ストッパ８４が床面に接地されるので、このストッパ８４と床面との摩擦により、天板２が使用位置にあるときに移動しないように固定される。
【００６４】
そして、この状態から、天板２を上方に押し上げて、図５（ｂ）に示す略垂直な（本実施形態では約８０度）収納位置に回転させると、カム７２は、天板と共に時計と反対回りに回転し、シンクロロッド７６との連結点であるピン７４の位置も回転して、カム７２の回動中心の右斜め下に配置される。そして、このときシンクロロッド７６は、脚柱６の内部で最も下方の位置から最も上方に位置に移動し、ガイド部材９６の中空部に挿通されたストッパロッド８２が、中空部内を摺動して鉛直上方に移動する。このため、ストッパロッド８２の下方端部に設けられたストッパ８４も鉛直上方に移動して床面から離間される。よって、移動机９０は、脚座９２の下方に設けられ常時接地されているキャスタにより移動可能となる。
【００６５】
さらに、この状態から再び天板２を押し下げて使用位置に回転させると、カム７２は、天板と共に時計回りに回転し、ピン７４は、再びカム７２の回動中心の下方に移動される。そして、シンクロロッド７６は下方に移動して、ガイド部材９６の中空部に挿通されたストッパロッド８２が、中空部内を摺動して鉛直下方に移動することにより、ストッパ８４が床面に接地される。
【００６６】
以上、説明したように、本実施形態の移動机９０によれば、天板２が使用位置に回転されると、カム７２及びシンクロロッド７６を介してストッパロッド８２及びストッパ８４が下方に移動されて、ストッパロッド８２がガイド部材９６の中空部を下方に摺動し、ストッパ８４が所定の位置に接地されるので、単純な構成で移動机９０を床面に対して確実に固定することができる。そして、天板２が回動される際には、シンクロロッド７６、ストッパロッド８２、及び、ストッパ８４が上下動されるのみであるので、使用者は、天板２を上方に回転させて収納位置に押し上げる際も大きな力を必要とせず、容易に天板２を回転することができる。
【００６７】
なお、本実施形態においては、ガイド部材９６が本発明の筒部及びガイド部に相当する。
［第３実施形態］
次に、別形態の移動机１００について説明する。第３実施形態の移動机１００は、本発明のガイド部を、脚柱６の下端部に構成したものであり、脚座１０２及び脚座１０２の脚柱６への結合構成、及び、制動機構１０８以外の箇所は、上記第１実施形態と同様に構成されている。このため、第１実施形態と同様の箇所については同様の符号を付して説明を省略し、異なる箇所についてのみ説明する。
【００６８】
図６は、第３実施形態の移動机１００の構成を示しており、図６（ａ）は、天板２が使用位置にあるときの移動机１００の側面図、図６（ｂ）は、天板２が収納位置にあるときの移動机１００の側面図である。なお、図６（ａ）及び図６（ｂ）は、制動機構１０８の構成を示すために、脚柱６や脚座１０２を垂直方向の面にて一部断面をとったり、透視させたりしている。
【００６９】
本実施形態の移動机１００は、天板２が水平な使用位置にある場合に床面に対して固定され、天板２が略垂直な収納位置にある場合に床面上を移動可能に構成されたものであり、図６に示すように、長方形の板材からなる天板２と、天板２の左右両側の下方に設けられ、天板支持部３０を介して天板２を使用位置と収納位置との間で回動可能に支持し、上端をやや後方に向けて上下方向に配置された脚柱６と、脚柱６の下端に前後方向に幅を持って水平に設けられた脚座１０２と、脚柱６及び脚座１０２の内部に設けられ、天板２が使用位置にあるときに移動机１００の移動を阻止するための制動機構１０８と、を備えている。
【００７０】
脚座１０２は、前後方向に幅を持った中空部材であり、前端よりやや後方で、脚柱６と結合されている。そして、脚座１０２の前端及び後端の下端側には、制動機構１０８の一部が挿通可能な挿通孔と、この挿通孔に挿通された制動機構１０８の一部にキャスタ本体２２の筒部２２ｂが挿通された際に、筒部２２ｂの上端に当接可能な当接部１０２ａが形成されている。また、脚座１０２の上記挿通孔及び面が形成された部分以外は下方が開放されており、脚柱６との結合箇所で脚柱６の内部とつながっている。
【００７１】
制動機構１０８は、カム軸４８に結合されるカム７２と、一端がカム７２に揺動可能に連結されたシンクロロッド７６と、一端が連結金具７８を介してシンクロロッド７６の揺動端に揺動可能に連結されるストッパ部１０４と、ストッパ部１０４の下方に連結されるストッパ８４と、中空の脚柱６の下端に設けられたガイド部材１０６と、から構成されている。
【００７２】
ストッパ部１０４は、前後方向に幅を持ち、脚座１０２の中空部内に収納される水平部１０４ｂと、水平部１０４ｂの脚柱６との結合位置付近から上方に突出したシンクロロッド連結部１０４ａと、水平部１０４ｂの前端または後端から下方に突出したストッパ連結部１０４ｃと、から構成されている。
【００７３】
シンクロロッド連結部１０４ａは、棒状に形成されており、水平部１０４ｂと連結された側と反対側の端部に軸と直交する方向に挿通孔（図示なし）が形成されている。
ストッパ連結部１０４ｃは、棒状に形成されており、水平部１０４ｂと連結された側と反対側の端面にはストッパ８４が螺合可能なねじ孔が形成されている。
【００７４】
ガイド部材１０６は、ストッパ部１０４のシンクロロッド連結部１０４ａを挿通可能な中空部を備えたブロック状に形成されており、この中空部が上下方向に配置されるように、脚柱６の下端に固定されている。
【００７５】
そして、ストッパ部１０４は、ガイド部材１０６の中空部に挿通された状態で、ガイド部材１０６の上方で、その端部が、端部に形成された挿通孔が連結金具７８の一対の平面部の間のピン孔７８ａに対応する位置に配置され、各ピン孔７８ａ及び挿通孔にピン８０が挿通されることにより、連結金具７８、つまり、シンクロロッド７６に揺動可能に軸支される。
【００７６】
一方、ストッパ連結部１０４ｃは、脚座１０２の前端及び後端に設けられた当接部１０２ａに形成された挿通孔に夫々挿通され、脚座１０２の下方に突出されている。そして、脚座１０２の下方でキャスタ本体２２の筒部に挿通され、キャスタ本体２２を挿通させた状態で、その端部にストッパ８４が螺合されている。
【００７７】
このように構成された移動机１００は、図６（ａ）に示すように、天板２が水平な使用位置にある場合には、カム７２は、底部７２ｃが、脚柱６の前方及び後方の面と平行となる位置にあり、シンクロロッド７６との連結点であるピン７４は、カム７２の回動中心（つまり、軸部の中心）の下方に配置されている。そして、このとき、シンクロロッド７６は、脚柱６の内部で最も下方に位置し、ストッパ８４が床面に接地されるので、このストッパ８４と床面との摩擦により、天板２が使用位置にあるときに移動しないように固定される。なお、ストッパ連結部１０４ｃを軸として回動可能に設けられたキャスタ本体２２は床面に接地しているが筒部２２ｂの上面は脚座１０２の当接部１０２ａに接しておらず、移動机１００を移動させることはない。
【００７８】
そして、この状態から、天板２を上方に押し上げて、図６（ｂ）に示す略垂直な（本実施形態では約８０度）収納位置に回転させると、カム７２は、天板と共に時計と反対回りに回転し、シンクロロッド７６との連結点であるピン７４の位置も回転して、カム７２の回動中心の右斜め下に配置される。そして、このときシンクロロッド７６は、脚柱６の内部で最も下方の位置から最も上方に位置に移動し、ガイド部材１０６の中空部に挿通されたストッパ部１０４のシンクロロッド連結部１０４ａが、中空部内を摺動して鉛直上方に移動する。このため、ストッパ部１０４全体が鉛直上方に移動し、ストッパ連結部１０４ｃの下方端部に設けられたストッパ８４も鉛直上方に移動して床面から離間される。このとき、ストッパ連結部１０４ｃを軸として回動可能に設けられたキャスタ本体２２の筒部２２ｂ上面が脚座１０２の当接部１０２ａの下端に当接し、移動机１００は、このキャスタ本体２２により移動可能となる。
【００７９】
さらに、この状態から再び天板２を押し下げて使用位置に回転させると、カム７２は、天板と共に時計回りに回転し、ピン７４は、再びカム７２の回動中心の下方に移動される。そして、シンクロロッド７６は下方に移動して、ガイド部材１０６の中空部に挿通されたシンクロロッド連結部１０４ａが、中空部内を摺動して鉛直下方に移動することにより、ストッパ８４が床面に接地される。ここで、この移動机１００において、ストッパ８４は、天板２の使用位置への回転の途中で床面に接地される。そして、その後、天板２の回転が進むと、ストッパ８４が床面から受ける反発力により、ストッパ部１０４、シンクロロッド７６及びカム７２を介して軸部全体、ひいては、脚柱６及び脚座１０２が上方に押し上げられ、キャスタ本体２２の筒部２２ｂの上面が、脚座１０２の当接部１０２ａから離間される。
【００８０】
以上、説明したように、本実施形態の移動机１００によれば、天板２が使用位置に回転されると、カム７２及びシンクロロッド７６を介して、シンクロロッド連結部１０４ａがガイド部材１０６の中空部を下方に摺動し、ストッパ部１０４全体が下方に移動されるので、ストッパ８４が所定の位置に接地され、単純な構成で移動机１００を床面に対して確実に固定することができる。そして、天板２が回動される際には、シンクロロッド７６、ストッパ部１０４、ストッパ８４が上下動されるのみであるので、使用者は、天板２を上方に回転させて収納位置に押し上げる際も大きな力を必要とせず、容易に天板２を回転することができる。
【００８１】
なお、本実施形態においては、ストッパ部１０４が制動部に相当し、ガイド部材１０６が本発明の筒部及びガイド部に相当する。
以上、本発明の一実施形態について説明したが、本発明は、種々の形態を採り得ることは言うまでもない。
【００８２】
例えば、上記各実施形態においては、カム７２のカム軸４８は、天板２の回転軸である段付回転軸３８に直接結合されて、カム７２が天板２と連動して回転するよう構成されているが、カム軸４８は、例えば、リンク機構を介して天板２に連動して回転するように構成してもよい。
【図面の簡単な説明】
【００８３】
【図１】第１実施形態の移動机１の外観を示す斜視図である。
【図２】第１実施形態の移動机１の外観を示す側面図である。
【図３】第１実施形態の移動机１の構成を示す分解斜視図である。
【図４】第１実施形態の移動机１、制動機構７０の構成を示す側面図である。
【図５】第２実施形態の移動机９０、制動機構９４の構成を示す側面図である。
【図６】第３実施形態の移動机１００、制動機構１０８の構成を示す側面図である。
【符号の説明】
【００８４】
１…移動机、２…天板、４…脚部、６…脚柱、８…脚座、１０ａ…キャスタ部、１０ｂ…アジャスタ付キャスタ部、１２…キャスタ取付部材、１２ａ…取付部、１２ｂ…嵌合部、１２ｃ…ねじ孔、１２ｄ…ねじ孔、１４…框パイプ、１６…框プレート、１６ａ…軸取付部、１６ｂ…挿通孔、１８…ボルト、２０…中空軸部材、２０ａ…鍔部、２０ｂ…ねじ部、２０ｃ…棒状部、２２…キャスタ本体、２２ａ…車輪、２２ｂ…筒部、３０…天板支持部、３２…角パイプ、３４…天板受金具、３４ａ…係止孔、３６…カバー、３８…段付回転軸、４０…回転軸固定ねじ、４２…ワッシャ、４４…皿ばね、４６…皿ばね固定部材、４８…カム軸、５０…カム軸固定ねじ、５２…レバー、５４…ロック部材、５６…ねじ、５８…ばね、６０…連動パイプ、６２…ねじ、７０…制動機構、７２…カム、７２ａ…係止孔、７２ｂ…ピン孔、７２ｃ…底部、７４…ピン、７６…シンクロロッド、７８…連結金具、７８ａ…ピン孔、８０…ピン、８２…ストッパロッド、８４…ストッパ、８４ａ…樹脂部材、９０…移動机、９２…脚座、９４…制動機構、９６…ガイド部材、１００…移動机、１０２…脚座、１０４…ストッパ部、１０６…ガイド部材、１０８…制動機構
【図１】
2007301302.tif 000003
【図２】
2007301302.tif 000004
【図３】
2007301302.tif 000005
【図４】
2007301302.tif 000006
【図５】
2007301302.tif 000007
【図６】
2007301302.tif 000008